(57)【特許請求の範囲】
【請求項１】
ポンプ、該ポンプを駆動する電動機、該電動機を駆動するドライバー、該ポンプの吸込又は吐出に取付けた逆止弁、前記ポンプの運転状況を検知する運転状況検知手段及び該運転状況検知手段の出力に応じて前記ドライバーに信号を送り前記ポンプの運転制御を行う制御部を具備する給液装置において、
前記制御部に入力手段、出力手段、ＣＰＵ、ＲＯＭ、ＲＡＭと不揮発性の記憶手段を設け、
予め、前記給液装置の種々の構成と機能に対応したコードを設け、該各コードに対応したプログラムを設け前記ＲＯＭに格納し、
前記制御部は、当該給液装置の完成時、前記入力手段により該給液装置の構成と機能に合致したコードを入力設定した際は、該コードを前記ＲＡＭ及び前記不揮発性の記憶手段に書き込み、後に当該給液装置の構成と機能変更でコードを変更する際は、前記入力手段より該変更するコードを入力し、該コードと前記ＲＡＭに記憶されている変更する構成と機能に対応するコードとを比較し、両者が異なる時のみ該変更するコードを前記ＲＡＭと不揮発性の記憶手段に書き込み、停電後の再起動時は、前記不揮発性の記憶手段に記憶されているコードを読み出し前記ＲＡＭに書き込み、前記ＣＰＵは前記ＲＡＭに書き込まれたコードに対応した前記プログラムを実行して前記ポンプの運転制御を行うことを特徴とする給液装置。
【請求項２】
前記入力手段が入力部と通信部、出力手段が出力部と前記通信部とに分かれており、前記コードは通信部より入力することを特徴とする請求項１に記載の給液装置。
【請求項３】
前記通信部に入力部と表示部を有するリモコンを通信線で接続し、該入力部から入力されたコード設定値の定義が該表示部に表示される手段を設けたことを特徴とする請求項１に記載の給液装置。
【請求項４】
前記通信部に複数のリモコンを接続し、各リモコンには予めＩＤ番号を付け、コード設定値に従い所定のＩＤ番号の有無を判断できる手段を設けたことを特徴とする請求項１に記載の給液装置。
【請求項５】
前記不揮発性の記憶手段はＥＥＰＲＯＭであり、ＲＡＭに格納されているデータを前記ＥＥＰＲＯＭに書き込み後、再びデータを読み出し前記ＲＡＭに格納されているデータと照合する手段を設けたことを特徴とする請求項１に記載の給液装置。
【発明の詳細な説明】
【０００１】
【発明の属する技術分野】
本発明は多くのユーザの異なる使用方法に容易に対応できる汎用性の高い制御手段を有する給液装置に関するものである。
【０００２】
【従来の技術】
図２は給液装置の全体構成例を示す図である。図示するように、本給液装置は第１受水槽１０−１、第２受水槽１０−２、第１ポンプ１−１、第２ポンプ１−２を具備し、第１ポンプ１−１はモータ２−１で駆動され、第２ポンプ１−２はモータ２−２で駆動され、更にモータ２−１はドライバ−３−１で駆動され、モータ２−２はドライバー３−２で駆動されるよう構成されている。ドライバー３−１及びドライバー３−２のそれぞれの１次側は漏電遮断器４−１及び漏電遮断器４−２を介して電源端子６に接続されている。ドライバー３−１及びドライバー３−２はそれぞれ制御部７により制御されるように構成され、制御部７にはリモコン８及びリモコン９が接続されている。
【０００３】
第１ポンプ１−１及び第２ポンプ１−２のそれぞれ吸込口１−１ａ及び吸込口１−２ａはそれぞれ第１受水槽１０−１及び第２受水槽１０−２に仕切弁Ｖ１及び仕切弁Ｖ２を介して接続された集合管１１の吸口１１ａ、１１ｂに接続されている。第１受水槽１０−１及び第２受水槽１０−２にはそれぞれ市水道より、電磁弁ＳＶ１及び電磁弁ＳＶ２を介して制御部７の制御により受水するようになっている。また、第１受水槽１０−１及び第２受水槽１０−２にはそれぞれ水位検出器１０−１ａ、水位検出器１０−２ａを具備し、その出力は制御部７に転送される。
【０００４】
第１ポンプ１−１及び第２ポンプ１−２のそれぞれの吐出口は集合管１２に接続され、該集合管には圧力タンク１３、圧力発信器１４が接続され、更に第１ポンプ１−１からの吐出流量を検知する水量検知器１５−１、第２ポンプ１−２からの吐出流量を検知する水量検知器１５−２が設けられている。
【０００５】
図３は上記従来の給液装置の制御部７の構成例を示す図である。図示するように、制御部７は機能処理部７−１、外部出力部７−２、外部出力部７−３、外部入力部７−４、通信入出力部７−５を具備する。機能処理部７−１はＮＯ．１号機（第１ポンプ１−２）及びＮＯ．２号機（第２ポンプ１−２）の運転，故障，停止、ＮＯ．１、ＮＯ．２号機の交互運転，交互故障切替，停止、圧力演算、警報（吐出圧力低下，漏電，ドライバー故障）少水量停止、受水槽（渇水，減水，正常，満水）、システムインタロック等の処理を行う。
【０００６】
上記構成の給液装置において、一般には、集合管１２から給水先である建物内の各戸の蛇口に接続されている。各戸で水を使用し、圧力タンク１３内の圧力が低下すると制御部７は圧力発信器１４の信号でそれを検知し、第１ポンプ１−１、第２ポンプ１−２が始動する。始動後は、建物内の使用水量に見合ったポンプの吐出圧力で運転される。使用水量が極端に少なくなると両ポンプの吐出口にある水量検知器１５−１、１５−２が給水量を検知しポンプを停止する。
【０００７】
水位検出器１０−１ａ及び水位検出器１０−２ａはそれぞれ第１受水槽１０−１、第２受水槽１０−２の水位を検出し、第１受水槽１０−１又は第２受水槽１０−２の水位が低下すると電磁弁ＳＶ１又は電磁弁ＳＶ２を開いて市水を第１受水槽１０−１又は第２受水槽１０−２に流入させる。第１受水槽１０−１又は第２受水槽１０−２の水位が上昇し、水位が復帰すると電磁弁ＳＶ１又は電磁弁ＳＶ２を閉じる。
【０００８】
第１受水槽１０−１及び第２受水槽１０−２の水位が低下し、電磁弁ＳＶ１及び電磁弁ＳＶ２が開いても更に水位が低下する場合は、制御部７の機能処理部７−１は外部出力部７−２を介して受水槽水位の減水、渇水等の警報を外部に発する。また、水位が復帰しても電磁弁ＳＶ１又は電磁弁ＳＶ２が完全に閉止にならない場合は、第１受水槽１０−１又は第２受水槽１０−２の水位が増加し、外部出力部７−２を介して受水槽の満水警報を発する。
【０００９】
第１受水槽１０−１及び第２受水槽１０−２の内部を定期的に清掃するときは交互に清掃する。即ち、第１受水槽１０−１（又は第２受水槽１０−２）より第１ポンプ１−１と第２ポンプ１−２の両方に水を供給するため仕切弁Ｖ１（又は仕切弁Ｖ２）を開き、仕切弁Ｖ２（又は仕切弁Ｖ１）を閉じ、第２受水槽１０−２（又は第１受水槽１０−１）の水を排水し、内部の清掃と消毒を行う。
【００１０】
上記清掃中は市水が第１受水槽１０−１（又は第２受水槽１０−２）内に入って来ない様に電磁弁ＳＶ２（又は電磁弁ＳＶ１）の動作を停止させる必要がある。これら一連の操作はリモコン８の操作釦の操作により行う。リモコン８の操作釦を押すと、表示部（図では省略）にＮＯ．１−共用−ＮＯ．２と順に点灯し、点灯した受水槽内の水位を検出するとともに、点灯した受水槽用の電磁弁ＳＶ１、ＳＶ２が水槽水位に応じて動作する。
【００１１】
また、リモコン８にはモ−ド切替操作部が設けられ、電磁弁ＳＶ１を手動にて動作させ作動確認する“手動モ−ド”、電磁弁ＳＶ１が水位に連動して動作する“自動モ−ド”、水位にかかわらず動作する“試験モ−ド”、電磁弁ＳＶ１を動作させない“断モ−ド”の各動作モ−ドの切替操作ができる。以上は受水槽が２槽設置され市水の流入を電磁弁ＳＶ１、ＳＶ２により行っている場合の説明である。
【００１２】
図４は一槽式受水槽の例を示す図である。一般的には受水槽１０が１槽の場合は市水の流入制御はボ−ルタップにより行われる。ボ−ルタップは水位Ｌにつれて浮子（ボ−ル）４１が上下動し、該上下動が竿４２によってバルブ部４３に伝わるようになっており、受水槽１０の水位Ｌが低くなると浮子４１が下がり、バルブ部４３が開き、市水が受水槽１０内に流入する。市水の流入で水位Ｌが上昇すると、浮子４１は上昇し、バルブ部４３を閉じる。このように、受水槽１０内の水位が下がるとボ−ルタップの浮子４１に連動して市水が流入し、水位Ｌが上昇するとバルブ部４３が閉となる。この様に１槽の受水槽１０を使用する場合は制御部７による制御は不要となる。
【００１３】
また、建物内への給水の途中で配水管内に塩素液を注入し、給水の殺菌を行う場合がある。図５は給液装置に減菌機を接続する場合の構成例を示す図である。図示する、減菌機５０は薬液を収容した液槽５５、モータ５１及び薬液ポンプ５２を具備し、吸込管５３の一端が薬液ポンプ５２の吸込口に接続され他端は液槽５５内に開口する。また吐出管５４の一端は薬液ポンプ５２の吐出口に他端は集合管１２内に開口する。モータ５１により薬液ポンプ５２を駆動すると、液槽５５の薬液は集合管１２内に注入される。
【００１４】
一般に、運転モ−ドとして第１ポンプ１−１、第２ポンプ１−２の運転と連動させて減菌機５０を駆動させる自動運転と、減菌機の回転方向の確認運転状況の把握等を行うための手動運転があり、制御部７には運転モ−ドを切替る切替手段が必要となる。
【００１５】
図６（ａ）は従来の減菌機の駆動回路の構成例を示す図である。図示するように、従来は制御部７の外部出力部７−２の運転１、２の端子Ａ１、Ａ２に補助リレ−Ｘ１、補助リレ−Ｘ２を接続し、各補助リレ−Ｘ１、Ｘ２の接点ｘ１、接点ｘ２の並列回路に切替スイッチ５６を直列に接続し、薬液ポンプ５２のモ−タ５１に接続する。切替スイッチ５６が自動の位置ａの場合、第１ポンプ１−１が運転されると接点５７が閉じ、補助リレ−Ｘ１が動作し、その接点ｘ１が閉じてモ−タ５１が駆動される。
【００１６】
第２ポンプ１−２が運転されるときも同様に補助リレーＸ２の接点ｘ２が動作しモ−タ５１が駆動される。切替スイッチ５６が手動の位置ｃにある場合は第１ポンプ１−１、第２ポンプ１−２と無関係にモ−タ５１は駆動される。切替スイッチ５６が断の位置ｂの場合は第１ポンプ１−１、第２ポンプ１−２が運転されても、モータ５１は起動されず薬液ポンプ５２は運転されない。また、外部出力を使用しているため、外部用出力端子をＸＡＣ、ＸＡ１、ＸＡ２の常開の接点Ｘ１、Ｘ２で出す必要がある。
【００１７】
給液装置は維持管理の為、各ポンプの運転時間及び運転回数の管理を行う場合がある。図７は従来のこのよう管理を行なう場合の管理装置の構成例を示す図である。図７に示すように制御部７の出力部７−２の運転１、２の端子Ａ１、Ａ２に補助リレ−Ｘ１、Ｘ２を接続し、その補助リレ−の接点ｘ１、ｘ２でカウンタＣＮＴ１、ＣＮＴ２及び時計Ｈｒ１、Ｈｒ２を動作させ、それぞれの運転回数及び、運転時間を計測し各々に表示をする。同図で接点５９は第１ポンプ１−１の運転中は閉で、接点６０は第２ポンプ１−２の運転中は閉じる接点である。
【００１８】
また、建屋内にさまざまな機器がある場合、管理室より一括して、遠方より運転停止の指令を行う場合がある。図８は従来の遠方／手元制御切替回路の構成例を示す図である。図示するように、手元−遠方の切替スイッチ６１を設け、切替スイッチ６１が手元の位置ａでは直接補助リレ−ＲＸの接点Ｒｘを制御部７の入力端子３１、３２に取り込むことで、切替スイッチ６１が手元の位置ａの時は制御部７の指令で作動し、遠方の位置ｂの時は端子Ｃ１３とＣ１４に遠方の信号がある時（閉）には、補助リレーＲＸが励磁されるので、遠方の信号の有無により機器を動作させることができる。なお、６２は閉じることによりポンプが運転される接点である。
【００１９】
【発明が解決しようとする課題】
上記のように、給液装置はユ−ザにより使用方法は様々であるが、従来の給液装置では制御部７で補助リレ−回路を設け、それぞれの使用に対応している。しかしながら、これらを全て事前に用意し、制御部７の中に組み入れるとコストが高くなるという問題がある。即ち、ユ−ザ毎に使用方法が異なっているため、ユーザによって使用しない回路部分はそのユ−ザにとっては無駄となる。そのため、一般的にユ−ザの要求（注文）に合わせて制御部を製作しているので製作納期が延びるだけでなく、コストも大幅に高くなってしまうという問題があった。
【００２０】
本発明は上述の点に鑑みてなされたもので、上記問題点を除去し、使用方法の異なるユーザに容易に適用できる汎用性のある制御が可能な給液装置を提供することを目的とする。
【００２１】
【課題を解決するための手段】
上記問題点を解決するため請求項１に記載の発明は、ポンプ、該ポンプを駆動する電動機、該電動機を駆動するドライバー、該ポンプの吸込又は吐出に取付けた逆止弁、ポンプの運転状況を検知する運転状況検知手段及び該運転状況検知手段の出力に応じてドライバーに信号を送りポンプの運転制御を行う制御部を具備する給液装置において、制御部に入力手段、出力手段、ＣＰＵ、ＲＯＭ、ＲＡＭと不揮発性の記憶手段を設け、予め、給液装置の種々の構成と機能に対応したコードを設け、該各コードに対応したプログラムを設け前記ＲＯＭに格納し、制御部は、当該給液装置の完成時、入力手段により該給液装置の構成と機能に合致したコードを入力設定した際は、該コードを前記ＲＡＭ及び前記不揮発性の記憶手段に書き込み、後に当該給液装置の構成と機能変更でコードを変更する際は、入力手段より該変更するコードを入力し、該コードとＲＡＭに記憶されている変更する構成と機能に対応するコードとを比較し、両者が異なる時のみ該変更するコードをＲＡＭと不揮発性の記憶手段に書き込み、停電後の再起動時は、不揮発性の記憶手段に記憶されているコードを読み出しＲＡＭに書き込み、ＣＰＵはＲＡＭに書き込まれたコードに対応した記プログラムを実行して前記ポンプの運転制御を行うことを特徴とする。
【００２２】
また、請求項２に記載の発明は請求項１に記載の給液装置において、入力手段が入力部と通信部、出力手段が出力部と前記通信部とに分かれており、前記コードは通信部より入力することを特徴とする。
【００２３】
また、請求項３に記載の発明は請求項１に記載の給液装置において、通信部に入力部と表示部を有するリモコンを通信線で接続し、該入力部から入力されたコード設定値の定義が該表示部に表示される手段を設けたことを特徴とする
【００２４】
また、請求項４に記載の発明は請求項１に記載の給液装置において、通信部に複数のリモコンを接続し、各リモコンには予めＩＤ番号を付け、コード設定値に従い所定のＩＤ番号の有無を判断できる手段を設けたことを特徴とする。
【００２５】
また、請求項５に記載の発明は請求項１に記載の給液装置において、不揮発性の記憶手段はＥＥＰＲＯＭであり、ＲＡＭに格納されているデータをＥＥＰＲＯＭに書き込み後、再びデータを読み出し元データと照合する手段を設けたことを特徴とする。
【００２６】
【発明の実施の形態】
以下、本発明の実施の形態を図面に基づいて詳細に説明する。図１は本発明の給液装置の制御部の構成例を示す図である。図示するように、本発明の給液装置の制御部７は通信部７１、ＣＰＵ７２、不揮発性メモリのＥＥＰＲＯＭ７３、ＲＡＭ（ランダムアクセスメモリ）７４、ＲＯＭ（リ−ドオンリメモリ）７５、入力部７６及び出力部７７を具備する。
【００２７】
制御方法としては給液装置の構成と機能に対応してプログラム及びコ−ドが設けられ、各プログラムはＲＯＭ７５に格納されており、ＣＰＵ７２で実行される。入力部７６からは給液装置を制御する為の水量検知器１５−１、水量検知器１５−２、圧力発信器１４等の出力信号が入力されるとともに、構成と機能に応じたコ−ドが入力されＲＡＭ７４及びＥＥＰＲＯＭ７３に格納設定される（詳細後述）。
【００２８】
通信部７１にはリモコン８及びリモコン９が接続され、各リモコン８，９には操作釦及び運転を表示する表示部が設けられ、給液装置の運転を操作するとともに給液装置の構成と機能に応じてコ−ドを設定することもできる。
【００２９】
図９はコ−ド名称と設定値の例を示す図である。図示するように、コ−ドの種類として、受水槽の数を表す受水槽コ−ド、電磁弁の方式を表す電磁弁コ−ド、モニタの種類を表すモニターコ−ド、遠方操作切替機能の有無を表す遠方・手元コ−ド、減菌機の有無を表す減菌機コ−ドが設けられ、各コ−ドに対応してプログラムが設けられＲＯＭ７５に格納されている。
【００３０】
例えば受水槽コ−ド＝２で電磁弁コ−ド＝１の場合は給液装置の受水槽の個数は２槽式、市水流入方式は電磁弁方式を示し、それに対応するプログラムは第１受水槽１０−１及び第２受水槽１０−２の各電磁弁を制御し水位を調整する。リモコン８、９への表示も“ＮＯ．１水槽／共用／ＮＯ．２水槽”の運転表示を行い、運転モ−ドも自動／断／試験の切替が可能となり各モ−ド表示を行う（図では省略）ことを示す。
【００３１】
コ−ドの設定手順を説明する。リモコン８、９にはデ−タ（コ−ド）等を設定する入力部及び表示部が設けられている。個々の給液装置の完成時、入力部７６又はリモコン８、リモコン９の何れかから該給液装置の構成と機能に合致したコ−ドを入力すると、該コ−ドに対応する機能が表示される。入力されたコ−ドはＲＡＭ７４及びＥＥＰＲＯＭ７３に書き込まれる。
【００３２】
運転時、ＣＰＵ７２が所定のプログラムを実行する際はＲＡＭ７４に書き込まれたコ−ドを参照し所定の制御を行う。ＥＥＰＲＯＭ７３は停電時にデ−タ（コ−ド）を保証するためにあり、停電後の給液装置の再起動時にはＥＥＰＲＯＭ７３に書き込まれたコ−ドを読み出しＲＡＭ７４へ書き込み後、運転に入る。これらの一連の動作はＲＯＭ７５に格納されているプログラムで実行される。
【００３３】
給液装置の構成や機能変更でコードを変更する際、入力部７６又はリモコン８，リモコン９の何れかから入力されたコードはＲＡＭ７４の所定のコードと比較され、異なった場合のみＥＥＰＲＯＭ７３へ書き込む。書き込み後、再び読み出しＲＡＭ７４に格納されているデータと照合し確認する。このように常に新しいコードはＥＥＰＲＯＭ７３に書き込まれデータ（コード）の停電保証を行っている。又、同じコードがＲＡＭ７４にも格納されているので、ＣＰＵ７２は常にＥＥＰＲＯＭ７３内のコードをアクセスする必要はなくなりＥＥＰＲＯＭ７３の書き込み回数は少なくなり寿命が延びる。
【００３４】
また、制御部７の通信部７１に２つ以上のリモコンが接続される場合もある。この場合は各リモコンにＩＤ番号を割付け、制御部７はＩＤ番号で各リモコンへ問合せ信号を出力し、該当するリモコンより所定のデ−タを受信する。こうすることにより容易にリモコンの増設ができる。また、リモコンにも機能別に数種類用意されＩＤ番号で対応させているので、制御部７は機能に合致したリモコンの有無を容易に判断することができる。
【００３５】
上述したようにハ−ド構成及び機能に対応したコ−ド及びプログラムを設け、ＥＥＰＲＯＭ７３、ＲＡＭ７４、ＲＯＭ７５に格納し、ＣＰＵ７２で実行するようにしたので、客先仕様又は要求に合わせて各コ−ドを設定し、それに見合ったリモコン８を制御部７の通信部７１に接続するだけで客先仕様・要求に応じた内容の制御が可能になる。即ち、標準品に適切なリモコン８、９を取付け適合したコ−ドを入力設定するだけでよく、従来の様にリレ−を接続したり、切替スイッチを取り付けたり、それらの間の接続を行ったりすることなく客先仕様や要求に応じた制御が可能になる。
【００３６】
以上説明したように本発明によれば、下記のような優れた効果が得られる。
（１）請求項１及び２に記載の発明によれば、下記（ａ）乃至（ｆ）の効果を有する給液装置を提供できる。
（ａ）個々の給液装置に対応してはその構成及び機能に合致したコード設定を設定すれば、個々の仕様に自由に対応できる。
（ｂ）また、制御部は標準品で構成できるので、仕込み生産が可能となりコストも低減でき、納期も短縮できる。
（ｃ）ソフトで対応するので従来のリレー等のハード構成は最小限度でよくコストを抑えることができる。
（ｄ）各コード設定を不揮発性の記憶手段及びＲＡＭに書き込むので、停電時もデータが消失することはない。
（ｅ）また、ＲＡＭにも書き込まれ、常時はＲＡＭからアクセスされ不揮発性メモリへのアクセスがないためにＣＰＵは迅速に動作する。
（ｆ）また、不揮発性の記憶手段からの読み出しが電源投入時に限られているので、不揮発性の記憶手段のアクセス回数が少なく不揮発性の記憶手段の寿命が長くなる。
【００３８】
（３）請求項３に記載の発明によれば、制御部とリモコンとの接続は通信部を介して２本の通信線で接続するので接続が非常に容易になる。
【００３９】
（４）請求項４に記載の発明によれば、リモコンにはＩＤ番号を付けて接続するので、複数のリモコンを容易に接続することができる。
【００４０】
（５）請求項５に記載の発明によれば、デ−タを不揮発性メモリに書き込み後、再び読み出し、ＲＡＭ内の元デ−タと照合するので不揮発性メモリが正しいことを検証することができるので信頼性が向上する。
【図面の簡単な説明】
【図１】本発明の給液装置の制御部の構成例を示す図である。
【図２】給液装置の全体構成例を示す図である。
【図３】従来の給液装置の制御部の構成例を示す図である。
【図４】一槽式受水槽の構成例を示す図である。
【図５】給液装置に減菌機を接続する場合の構成例を示す図である。
【図６】従来の減菌機の駆動回路の構成例を示す図である。
【図７】従来の管理装置の構成例を示す図である。
【図８】従来の遠方／手元制御切替回路の構成例を示す図である。
【図９】コ−ド名称と設定値の例を示す図である。
【符号の説明】
１−１        第１ポンプ
１−２        第２ポンプ
２−１        モータ
２−２        モータ
３−１        ドライバー
３−２        ドライバー
４−１        漏電遮断器
４−２        漏電遮断器
７            制御部
８            リモコン
９            リモコン
１０−１      第１受水槽
１０−２      第２受水槽
１０−１ａ    水位検知器
１０−２ａ    水位検知器
１１          集合管
１２          集合管
１３          圧力タンク
１４          圧力発信器
１５−１      水量検知器
１５−２      水量検知器
７１          通信部
７２          ＣＰＵ部
７３          ＥＥＰＲＯＭ
７４          ＲＡＭ
７５          ＲＯＭ
７６          入力部
７７          出力部
【図１】
0003798479.tif 000002
【図２】
0003798479.tif 000003
【図３】
0003798479.tif 000004
【図４】
0003798479.tif 000005
【図５】
0003798479.tif 000006
【図６】
0003798479.tif 000007
【図７】
0003798479.tif 000008
【図８】
0003798479.tif 000009
【図９】
0003798479.tif 000010